(57)【要約】【課題】カメラ用羽根駆動装置の構造の簡素化、部品点数の削減、小型化、薄型化、低コスト化等を図る。【解決手段】複数の支軸を有すると共にコイル２０を巻回するコイル枠部材１０、コイル枠部材に固定されたヨーク３０、複数の支軸の一つの支軸により回動自在に支持されるロータ４０、コイル枠部材に固定されると共に光通過用の開口部６１を有する口径板６０、コイル枠部材と口径板の間に配置されて複数の支軸の他の支軸により回動自在に支持され出力ピンを介して開口部に対し進退駆動される少なくとも１つの羽根部材５０を備え、羽根部材５０は、進退駆動される範囲の全域においてコイル枠部材１０と重なり合った状態を維持する部分を含むように形成されている。これによれば、従来のような地板を廃止でき、構造の簡素化、部品点数の削減、小型化、薄型化、低コスト化等を達成できる。【選択図】図１
2014071176.tif 000002
【特許請求の範囲】
【請求項１】
複数の支軸を有すると共に励磁用のコイルを巻回するコイル枠部材と、
前記コイル枠部材に固定されたヨークと、
前記複数の支軸の一つの支軸により回動自在に支持されると共に永久磁石及び出力ピンを有するロータと、
前記コイル枠部材に固定されると共に光通過用の開口部を有する口径板と、
前記コイル枠部材と前記口径板の間に配置されて前記複数の支軸の他の支軸により回動自在に支持され、前記出力ピンを介して前記開口部に対し進退駆動される少なくとも１つの羽根部材と、を備え、
前記羽根部材は、進退駆動される範囲の全域において前記コイル枠部材と重なり合った状態を維持する部分を含むように形成されている、
ことを特徴とするカメラ用羽根駆動装置。
【請求項２】
前記コイル枠部材は、前記羽根部材を前記開口部に臨む位置と前記開口部から後退した後退位置とにそれぞれ位置決めするストッパを有する、
ことを特徴とする請求項１に記載のカメラ用羽根駆動装置。
【請求項３】
前記羽根部材と前記口径板の間において、前記羽根部材に隣接して配置される隣接羽根部材を含み、
前記隣接羽根部材は、進退駆動される範囲の全域において前記羽根部材と重なり合った状態を維持する部分を含むように形成されている、
ことを特徴とする請求項１又は２に記載のカメラ用羽根駆動装置。
【請求項４】
前記コイル枠部材は、前記開口部の周りに配列されて相互に連結される複数のコイル枠部材からなり、
前記ロータは、前記複数のコイル枠部材に対応して設けられた複数のロータからなり、
前記複数のコイル枠部材同士が連結される領域には、前記ロータを回動自在に支持するロータ室が形成されている、
ことを特徴とする請求項１ないし３いずれか一つに記載のカメラ用羽根駆動装置。
【発明の詳細な説明】
【技術分野】
【０００１】
本発明は、カメラにおける光量を調節する絞り又はシャッタ機能を備えたカメラ用羽根駆動装置に関し、特に、開口部に臨む位置と開口部から後退した位置との間を揺動する絞り羽根又はシャッタ羽根等の羽根部材及び羽根部材を駆動する電磁アクチュエータを備えたカメラ用羽根駆動装置に関する。
【背景技術】
【０００２】
従来のカメラ用羽根駆動装置としては、光通過用の開口部を有する厚板状の地板、開口部に対し進退駆動される（開口部に臨む位置と開口部から後退した後退位置との間で駆動される）羽根部材、羽根部材を配置する羽根室を画定するべく地板と平行に配置されると共に光通過用の開口部を有する隔壁板、磁路を形成するヨーク及び励磁用のコイルを保持すると共に隔壁板を挟んで地板に固定されるカバー枠（コイル枠部材）、カバー枠と隔壁板との間に配置されて羽根部材に連結される出力ピンを有する永久磁石回転子（ロータ）等を備え、永久磁石回転子、ヨーク、及びコイルからなる電磁アクチュエータにより羽根部材を駆動するようにしたものが知られている（例えば、特許文献１参照）。
【０００３】
しかしながら、このカメラ用羽根駆動装置においては、地板が、土台としての機能を成すように樹脂材料を用いた成型品として厚板状に形成され、かつ、地板に対して、カバー枠を連結するための複数の取付軸及び羽根部材を所定位置に位置決めするための複数のストッパピン等が設けられている。すなわち、地板が構造上の基本的な構成要素として採用されているが故に、装置の小型化、薄型化、構造の簡素化、部品点数の削減、コストの低減等を図るには限界がある。
【先行技術文献】
【特許文献】
【０００４】
【特許文献１】特開２００７−２６４６１７号公報
【発明の概要】
【発明が解決しようとする課題】
【０００５】
本発明は、上記の事情に鑑みて成されたものであり、その目的とするところは、従来のような地板を基本的な構成要素とする技術思想から脱却して、構造の簡素化、部品点数の削減、装置の小型化及び薄型化、低コスト化等を図れるカメラ用羽根駆動装置を提供することにある。
【課題を解決するための手段】
【０００６】
本発明のカメラ用羽根駆動装置は、複数の支軸を有すると共に励磁用のコイルを巻回するコイル枠部材と、コイル枠部材に固定されたヨークと、複数の支軸の一つの支軸により回動自在に支持されると共に永久磁石及び出力ピンを有するロータと、コイル枠部材に固定されると共に光通過用の開口部を有する口径板と、コイル枠部材と口径板の間に配置されて複数の支軸の他の支軸により回動自在に支持され出力ピンを介して開口部に対し進退駆動される少なくとも１つの羽根部材とを備え、羽根部材は、進退駆動される範囲の全域においてコイル枠部材と重なり合った状態を維持する部分を含むように形成されている、ことを特徴としている。
この構成によれば、コイルを巻回するコイル枠部材に対して、ヨーク、ロータ、少なくとも一つの羽根部材、口径板が組み付けられており、又、羽根部材はその進退駆動される全範囲においてコイル枠部材と常時重なり合う部分を含むため、従来のような厚板状の地板及び隔壁板を廃止しても、羽根部材がコイル枠部材に衝突することなく羽根部材を円滑に駆動させて絞り動作又はシャッタ動作を行わせることができ、又、その骨組み構造がコイル枠部材及び口径板により構成されるため、構造の簡素化、部品点数の削減、装置の小型化及び薄型化、低コスト化等を達成することができる。
【０００７】
上記構成において、コイル枠部材は、羽根部材を開口部に臨む位置と開口部から後退した後退位置とにそれぞれ位置決めするストッパを有する、構成を採用することができる。
この構成によれば、コイル枠部材にストッパが設けられているため、羽根部材は、開口部に臨む位置においてコイル枠部材のストッパに当接して位置決めされ、かつ、開口部から後退した後退位置においてコイル枠部材のストッパに当接して位置決めされる。
このように、ロータ及び羽根部材が、コイル枠部材を基準にしてそれぞれ作動するように組み付けられているため、より高精度な位置決め及び円滑な駆動が可能になる。
【０００８】
上記構成において、羽根部材と口径板の間において、羽根部材に隣接して配置される隣接羽根部材を含み、隣接羽根部材は、進退駆動される範囲の全域において、羽根部材と重なり合った状態を維持する部分を含むように形成されている、構成を採用することができる。
この構成によれば、羽根部材がコイル枠部材と常時部分的に重なり合う状態において、隣接羽根部材が羽根部材と常時部分的に重なり合うため、隣接羽根部材は羽根部材を介してコイル枠部材と常時部分的に重なり合う状態が維持されることになり、羽根部材及び隣接羽根部材を共に円滑に駆動させることができる。
ここで、例えば、羽根部材が１枚の絞り羽根の場合に、隣接羽根部材としてはシャッタ羽根、あるいは、羽根部材が２枚のシャッタ羽根の一方のシャッタ羽根の場合に、隣接羽根部材としては２枚のシャッタ羽根の他方のシャッタ羽根が想定される。
【０００９】
上記構成において、コイル枠部材は、開口部の周りに配列されて相互に連結される複数のコイル枠部材からなり、ロータは、複数のコイル枠部材に対応して設けられた複数のロータからなり、複数のコイル枠部材同士が連結される領域には、ロータを回動自在に支持するロータ室が形成されている、構成を採用することができる。
この構成によれば、複数のコイル枠部材が相互に連結される領域にロータ室が形成される（例えば、一方のコイル枠部材にロータの支軸が形成され、他方のコイル枠部材にロータの端面を受けるスラスト受け面が形成される）ため、コイル枠部材のみでロータをより高精度にかつ円滑に回動するように支持することができる。
【発明の効果】
【００１０】
上記構成をなすカメラ用羽根駆動装置によれば、従来のような地板を廃止して、構造の簡素化、部品点数の削減、装置の小型化及び薄型化、低コスト化等を達成することができる。
【図面の簡単な説明】
【００１１】
【図１】本発明に係るカメラ用羽根駆動装置の第１の実施形態を示す分解斜視図である。
【図２】図１に示すカメラ用羽根駆動装置の一部を示すものであり、（ａ）はコイル枠部材の側面図、（ｂ）はコイル枠部材の裏面図、（ｃ）はコイル枠部材、ヨーク、ロータ、口径板等の部分断面図である。
【図３】図１に示すカメラ用羽根駆動装置の動作（シャッタ羽根が開口部から後退した後退位置にある状態）を説明する平面図である。
【図４】図１に示すカメラ用羽根駆動装置の動作（シャッタ羽根が開口部に臨む位置にある状態）を説明する平面図である。
【図５】本発明に係るカメラ用羽根駆動装置の第２の実施形態を示す分解斜視図である。
【図６】図５に示すカメラ用羽根駆動装置の動作（２枚のシャッタ羽根が開口部から後退した後退位置にある状態）を説明する平面図である。
【図７】図５に示すカメラ用羽根駆動装置の動作（２枚のシャッタ羽根が開口部に臨む位置にある状態）を説明する平面図である。
【図８】本発明に係るカメラ用羽根駆動装置の第３の実施形態を示す分解斜視図である。
【図９】図８に示すカメラ用羽根駆動装置の展開断面図である。
【図１０】図８に示すカメラ用羽根駆動装置の動作（絞り羽根及び２枚のシャッタ羽根が開口部から後退した後退位置にある状態）を説明する平面図である。
【図１１】図８に示すカメラ用羽根駆動装置の動作（絞り羽根が開口部に臨む位置にある状態で、２枚のシャッタ羽根が開口部から後退した後退位置にある状態）を説明する平面図である。
【図１２】図８に示すカメラ用羽根駆動装置の動作（絞り羽根が開口部から後退した後退位置にある状態で、２枚のシャッタ羽根が開口部に臨む位置にある状態）を説明する平面図である。
【図１３】本発明に係るカメラ用羽根駆動装置の第４の実施形態を示す分解斜視図である。
【発明を実施するための形態】
【００１２】
以下、本発明の実施形態について、添付図面を参照しつつ説明する。
第１の実施形態に係るカメラ用羽根駆動装置は、図１に示すように、コイル枠部材１０、コイル枠部材１０に巻回された励磁用のコイル２０、コイル枠部材１０に固定されたヨーク３０、コイル枠部材１０に回動自在に支持されたロータ４０、コイル枠部材１０に回動自在に支持されると共にロータ４０に連結された羽根部材としてのシャッタ羽根５０、光通過用の開口部６１を有すると共にコイル枠部材１０に固定された口径板６０等を備えている。
【００１３】
コイル枠部材１０は、樹脂材料を用いて略湾曲状に型成形されており、図１〜図４に示すように、コイル２０を巻回するボビン部１０ａ、ヨーク３０を取り付ける嵌合孔１０ｂ及びフック部１０ｃ、ロータ４０を回動自在に支持する支軸１０ｄ及びスラスト受け面１０ｅ、シャッタ羽根５０を回動自在に支持する支軸１０ｆ、シャッタ羽根５０を開口部６１から後退した後退位置に位置決めするストッパ１０ｇ、シャッタ羽根５０を開口部６１に臨む位置に位置決めするストッパ１０ｈ、口径板６０を当接させてコイル枠部材１０との間に所定隙間を規定するボス部１０ｉ、ボス部１０ｉに形成されたネジ穴１０ｊ等を備えている。
【００１４】
コイル２０は、組み付けに際して、コイル枠部材１０のボビン部１０ａに、予め所定の巻き数だけ巻回されている。
ヨーク３０は、図１に示すように、略Ｕ字形状をなすように形成され、その両端部においてロータ４０の外周面と対向する円弧面を画定する第１磁極部３１及び第２磁極部３２、第１磁極部３１及び第２磁極部３２を連結する屈曲部３３を備えている。そして、ヨーク３０は、コイル枠部材１０の嵌合孔１０ｂに第１磁極部３１を有する側が挿入されると共にフック部１０ｃに屈曲部３３が係合されて固定されるようになっている。
ロータ４０は、図１及び図２に示すように、Ｎ極及びＳ極からなる永久磁石として形成されて支軸１０ｄを通す貫通孔４１ａを画定する円筒部４１、円筒部４１から略Ｌ字状に径方向に突出する出力ピン４２を備えている。そして、ロータ４０は、コイル枠部材１０の支軸１０ｄにより回動自在に支持されると共に、その外側から口径板６０を取り付けることで、その一端面がコイル枠部材１０のスラスト受け面１０ｅに当接し、その他端面が口径板６０に当接してスラスト方向において支持されるようになっている。
【００１５】
シャッタ羽根５０は、図１、図３及び図４に示すように、コイル枠部材１０の支軸１０ｆを通す円孔５０ａ、出力ピン４２を挿入する円弧状の長孔５０ｂを備えている。そして、シャッタ羽根５０は、コイル枠部材１０の支軸１０ｆにより回動自在に支持されると共に、出力ピン４２の移動により、開口部６１に臨む位置と開口部６１から後退した後退位置との間を移動自在に支持され、又、開口部６１に臨む位置においてストッパ１０ｈに当接して位置決めされ、開口部６１から後退した後退位置においてストッパ１０ｇに当接して位置決めされるようになっている。
さらに、シャッタ羽根５０は、図３に示すように後退位置においてその一部分５０ｃがコイル枠部材１０の下方に位置して重なり合い、又、図４に示すように開口部６１に臨む位置においてもその先端部分５０ｄがコイル枠部材１０の下方に位置して重なり合うように形成されている。すなわち、シャッタ羽根５０は、進退駆動される範囲の全域においてコイル枠部材１０と重なり合った状態を維持する部分（５０ｃ，５０ｄ）を含むように形成されている。
【００１６】
口径板６０は、図１に示すように、略半円状の薄板として形成されており、その略中央において光通過用の円形の開口部６１、ネジＢを通す円孔６２、支軸１０ｄを通す円孔６３、出力ピン４２を移動自在に通す円弧状の長孔６４、支軸１０ｆを通す円孔６５、ストッパ１０ｈを通す円孔６６等を備えている。そして、口径板６０は、コイル２０及びヨーク３０が組み付けられたコイル枠部材１０に対して、ロータ４０及びシャッタ羽根５０が組み付けられた後に、コイル枠部材１０との間にシャッタ羽根５０を挟み込むようにして、ネジＢを用いてコイル枠部材１０に固定されるようになっている。
【００１７】
このように、コイル２０を巻回するコイル枠部材１０に対して、ヨーク３０、ロータ４０、羽根部材としてのシャッタ羽根５０、口径板６０が組み付けられており、又、シャッタ羽根５０はその進退駆動される全範囲においてコイル枠部材１０と常時重なり合う部分を含むため、従来のような厚板状の地板及び隔壁板を廃止しても、シャッタ羽根５０がコイル枠部材１０に衝突することなくシャッタ羽根５０を円滑に駆動させてシャッタ動作を行わせることができ、又、その骨組み構造がコイル枠部材１０及び口径板６０により構成されるため、構造の簡素化、部品点数の削減、装置の小型化及び薄型化、低コスト化等を達成することができる。また、ロータ４０及びシャッタ羽根５０が、コイル枠部材１０を基準にしてそれぞれ作動するように組み付けられているため、より高精度な位置決め及び円滑な駆動が可能になる。
【００１８】
図５ないし図７は、本発明に係るカメラ用羽根駆動装置の第２の実施形態を示すものであり、前述の実施形態と同一の構成については、同一の符号を付して説明を省略する。
第２の実施形態に係るカメラ用羽根駆動装置は、図５ないし図７に示すように、コイル枠部材１０´、コイル２０、ヨーク３０、ロータ４０、コイル枠部材１０´に回動自在に支持されると共にロータ４０に連結された羽根部材としてのシャッタ羽根５１及び隣接羽根部材としてのシャッタ羽根５２、口径板６０´等を備えている。
【００１９】
コイル枠部材１０´は、図５〜図７に示すように、ボビン部１０ａ、嵌合孔１０ｂ及びフック部１０ｃ、ロータ４０を回動自在に支持すると共にシャッタ羽根５２を回動自在に支持する支軸１０ｄ´、スラスト受け面１０ｅ、シャッタ羽根５１を回動自在に支持する支軸１０ｆ、シャッタ羽根５１，５２を開口部６１から後退した後退位置に位置決めするストッパ１０ｇ、シャッタ羽根５２を開口部６１に臨む位置に位置決めするストッパ１０ｈ、ボス部１０ｉ、ネジ穴１０ｊ等を備えている。
【００２０】
シャッタ羽根５１は、コイル枠部材１０´の支軸１０ｆを通す円孔５１ａ、出力ピン４２を挿入する円弧状の長孔５１ｂを備えており、支軸１０ｆにより回動自在に支持されると共に、出力ピン４２の移動により、開口部６１に臨む位置と開口部６１から後退した後退位置との間を移動自在に支持され、又、開口部６１から後退した後退位置においてストッパ１０ｈに当接して位置決めされ、開口部６１に臨む位置においては、シャッタ羽根５２がストッパ１０ｈに当接して位置決めされることにより間接的に位置決めされるようになっている。
シャッタ羽根５２は、コイル枠部材１０´の支軸１０ｄ´を通す円孔５２ａ、出力ピン４２を挿入する円弧状の長孔５２ｂを備えており、支軸１０ｄ´により回動自在に支持されると共に、出力ピン４２の移動により、開口部６１に臨む位置と開口部６１から後退した後退位置との間を移動自在に支持され、又、開口部６１から後退した後退位置においてストッパ１０ｇに当接して位置決めされ、開口部６１に臨む位置においてストッパ１０ｈに当接して位置決めされるようになっている。
【００２１】
そして、シャッタ羽根５１は、図６に示すように後退位置においてその一部分５１ｃがコイル枠部材１０´の下方に位置して重なり合い、又、図７に示すように開口部６１に臨む位置においてもその先端部分５１ｄがコイル枠部材１０´の下方に位置して重なり合うように形成されている。すなわち、シャッタ羽根５１は、進退駆動される範囲の全域においてコイル枠部材１０´と重なり合った状態を維持する部分（５１ｃ，５１ｄ）を含むように形成されている。
また、シャッタ羽根５２は、シャッタ羽根５１と口径板６０´の間においてシャッタ羽根５１に隣接して配置された隣接羽根部材であり、進退駆動される範囲の全域においてシャッタ羽根５１と重なり合った状態を維持する部分（５２ｃ，５２ｄ）を含むように形成されている。
すなわち、羽根部材としてのシャッタ羽根５１がコイル枠部材１０´と常時部分的に重なり合う状態において、隣接羽根部材としてのシャッタ羽根５２がシャッタ羽根５１と常時部分的に重なり合うため、シャッタ羽根５２はシャッタ羽根５１を介してコイル枠部材１０´と常時部分的に重なり合う状態が維持されることになり、シャッタ羽根５１及びシャッタ羽根５２を共に円滑に駆動させる（協働してシャッタ動作を行わせる）ことができる。
【００２２】
口径板６０´は、図５に示すように、略円形の薄板として形成された以外は、前述の口径板６０と同様であり、開口部６１、円孔６２、円孔６３、長孔６４、円孔６５、円孔６６等を備えている。
【００２３】
上記の装置においては、コイル２０を巻回するコイル枠部材１０´に対して、ヨーク３０、ロータ４０、羽根部材としてのシャッタ羽根５１，５２、口径板６０´が組み付けられており、又、シャッタ羽根５１はその進退駆動される全範囲においてコイル枠部材１０´と常時重なり合う部分を含むと共に、隣接羽根部材としてのシャッタ羽根５２はシャッタ羽根５１と常時部分的に重なり合うため、従来のような厚板状の地板及び隔壁板を廃止しても、シャッタ羽根５１，５２を円滑に駆動させてシャッタ動作を行わせることができ、又、その骨組み構造がコイル枠部材１０´及び口径板６０´により構成されるため、構造の簡素化、部品点数の削減、装置の小型化及び薄型化、低コスト化等を達成することができ、さらに、ロータ４０及びシャッタ羽根５１，５２が、コイル枠部材１０´を基準にしてそれぞれ作動するように組み付けられているため、より高精度な位置決め及び円滑な駆動が可能になる。
【００２４】
図８ないし図１２は、本発明に係るカメラ用羽根駆動装置の第３の実施形態を示すものであり、前述の実施形態と同一の構成については、同一の符号を付して説明を省略する。
第３の実施形態に係るカメラ用羽根駆動装置は、図８ないし図１２に示すように、２つのコイル枠部材１１０，１１０´、２つのコイル１２０，１２０´、２つのヨーク１３０，１３０´、２つのロータ１４０，１４０´、一方のコイル枠部材１１０に回動自在に支持されると共に一方のロータ１４０に連結された羽根部材としての絞り羽根１５０、他方のコイル枠部材１１０´に回動自在に支持された羽根部材としての２つのシャッタ羽根１５１，１５２、光通過用の開口部１６１を有すると共に２つのコイル枠部材１１０，１１０´に固定された口径板１６０等を備えている。
【００２５】
コイル枠部材１１０は、図８〜図１２に示すように、ボビン部１１０ａ、嵌合孔１１０ｂ及びフック部１１０ｃ、ロータ１４０を回動自在に支持する支軸１１０ｄ、スラスト受け面１１０ｅ、絞り羽根１５０を回動自在に支持する支軸１１０ｆ、ストッパ１１０ｇ，１１０ｈ、円孔１１０ｉを有する一端連結部１１０ｊ、ネジ穴１１０ｋを有する他端連結部１１０ｍ、円弧状の長孔１１０ｎ、スラスト受け面１１０ｏ、ボス部１１０ｐ、ネジ穴１１０ｑ、位置決めピン１１０ｒ等を備えている。
コイル枠部材１１０´は、図８〜図１２に示すように、ボビン部１１０ａ´、嵌合孔１１０ｂ´及びフック部１１０ｃ´、ロータ１４０´を回動自在に支持する支軸１１０ｄ´、スラスト受け面１１０ｅ´、絞り羽根１５１，１５２を回動自在に支持する支軸１１０ｆ１´，１１０ｆ２´、ストッパ１１０ｇ´，１１０ｈ´、円孔１１０ｉ´を有する一端連結部１１０ｊ´、ネジ穴１１０ｋ´を有する他端連結部１１０ｍ´、円弧状の長孔１１０ｎ´、スラスト受け面１１０ｅ´、ボス部１１０ｐ´、ネジ穴１１０ｑ´、位置決めピン１１０ｒ´等を備えている。
そして、コイル枠部材１１０とコイル枠部材１１０´とは、コイル１２０，１２０´がそれぞれ巻回されると共にヨーク１３０，１３０´が組み付けられ、かつ、ロータ１４０、１４０´が組み付けられた状態で、ネジＢを用いてそれぞれの一端連結部１１０ｊ（１１０ｊ´）と他端連結部１１０ｍ´（１１０ｍ）同士が連結されることにより、開口部１６１の周りに配列された状態となり、全体の骨格構造を形成すると共に、相互に連結される領域においてロータ１４０，１４０´を回動自在に支持するロータ室（すなわち、支軸１１０ｄ，１１０ｄ´、スラスト受け面１１０ｅ，１１０ｅ´，１１０ｏ，１１０ｏ´、長孔１１０ｎ，１１０ｎ´を画定する領域）を形成するようになっている。
【００２６】
ヨーク１３０は、図８に示すように、略Ｕ字形状をなすように形成され、第１磁極部１３１、第２磁極部１３２、屈曲部１３３を備えている。
ヨーク１３０´は、図８に示すように、略Ｕ字形状をなすように形成され、第１磁極部１３１´、第２磁極部１３２´、屈曲部１３３´を備えている。
ロータ１４０は、図８及び図９に示すように、Ｎ極及びＳ極からなる永久磁石として形成されて支軸１１０ｄを通す貫通孔１４１ａを画定する円筒部１４１、円筒部１４１から略Ｌ字状に径方向に突出する出力ピン１４２を備えている。そして、ロータ１４０は、コイル枠部材１１０の支軸１１０ｄにより回動自在に支持されると共に、その一端面がコイル枠部材１１０のスラスト受け面１１０ｅに当接し、その他端面がコイル枠部材１１０´のスラスト受け面１１０ｏ´に当接してスラスト方向において支持されるようになっている。
ロータ１４０´は、図８及び図９に示すように、Ｎ極及びＳ極からなる永久磁石として形成されて支軸１１０ｄ´を通す貫通孔１４１ａ´を画定する円筒部１４１´、円筒部１４１´から略Ｌ字状に径方向に突出する出力ピン１４２´を備えている。そして、ロータ１４０´は、コイル枠部材１１０´の支軸１１０ｄ´により回動自在に支持されると共に、その一端面がコイル枠部材１１０´のスラスト受け面１１０ｅ´に当接し、その他端面がコイル枠部材１１０のスラスト受け面１１０ｏに当接してスラスト方向において支持されるようになっている。
【００２７】
絞り羽根１５０は、コイル枠部材１１０の支軸１１０ｆを通す円孔１５０ａ、出力ピン１４２を挿入する円弧状の長孔１５０ｂ、所定の口径をなす円形開口部１５０ｃを備えており、支軸１１０ｆにより回動自在に支持されると共に、出力ピン１４２の移動により、開口部１６１に臨む位置と開口部１６１から後退した後退位置との間を移動自在に支持され、又、開口部１６１から後退した後退位置においてストッパ１１０ｇに当接して位置決めされ、開口部１６１に臨む位置においてストッパ１１０ｈ´に当接して位置決めされるようになっている。
さらに、絞り羽根１５０は、図１０に示すように後退位置においてその一部分１５０ｄがコイル枠部材１１０の下方に位置して重なり合い、又、図１１に示すように開口部１６１に臨む位置においてもその先端部分１５０ｅがコイル枠部材１１０´の下方に位置して重なり合うように形成されている。すなわち、絞り羽根１５０は、進退駆動される範囲の全域においてコイル枠部材１１０，１１０´と重なり合った状態を維持する部分（１５０ｄ，１５０ｅ）を含むように形成されている。
【００２８】
シャッタ羽根１５１は、コイル枠部材１１０´の支軸１１０ｆ１´を通す円孔１５１ａ、出力ピン１４２´を挿入する円弧状の長孔１５１ｂを備えており、支軸１１０ｆ１´により回動自在に支持されると共に、出力ピン１４２の移動により、開口部１６１に臨む位置と開口部１６１から後退した後退位置との間を移動自在に支持され、又、開口部１６１から後退した後退位置及び開口部６１に臨む位置において、シャッタ羽根１５２がストッパ１１０ｇ´，１１０ｈに当接することにより、間接的に位置決めされるようになっている。
シャッタ羽根１５２は、コイル枠部材１１０´の支軸１１０ｆ２´を通す円孔１５２ａ、出力ピン１４２を挿入する円弧状の長孔１５２ｂを備えており、支軸１１０ｆ２´により回動自在に支持されると共に、出力ピン１４２の移動により、開口部１６１に臨む位置と開口部１６１から後退した後退位置との間を移動自在に支持され、又、開口部１６１から後退した後退位置においてストッパ１１０ｇ´に当接して位置決めされ、開口部１６１に臨む位置においてストッパ１１０ｈに当接して位置決めされるようになっている。
【００２９】
シャッタ羽根１５１は、絞り羽根１５０（羽根部材）と口径板１６０の間において絞り羽根１５０（羽根部材）に隣接して配置された隣接羽根部材であり、進退駆動される範囲の全域において、図１０及び図１２に示すように、絞り羽根１５０と重なり合った状態を維持する部分（１５１ｃ，１５１ｄ）を含むように形成されている。
さらに、シャッタ羽根１５２は、シャッタ羽根１５１と口径板１６０の間においてシャッタ羽根１５１に隣接して配置され、進退駆動される範囲の全域において、図１０及び図１２に示すように、シャッタ羽根１５１と重なり合った状態を維持する部分（１５２ｃ，１５２ｄ）を含むように形成されている。
すなわち、羽根部材としての絞り羽根１５０がコイル枠部材１１０，１１０´と常時部分的に重なり合う状態において、隣接羽根部材としてのシャッタ羽根１５１が絞り羽根１５０と常時部分的に重なり合うと共に、シャッタ羽根１５２がシャッタ羽根１５１と常時部分的に重なり合うため、シャッタ羽根１５１，１５２は絞り羽根１５０を介してコイル枠部材１１０，１１０´と常時部分的に重なり合う状態が維持されることになり、絞り羽根１５０を円滑に駆動させる（絞り動作を行わせる）ことができると共に、シャッタ羽根１５１，１５２を円滑に駆動させる（協働してシャッタ動作を行わせる）ことができるようになっている。
【００３０】
口径板１６０は、図８に示すように、略円形の薄板として形成されており、その略中央において光通過用の円形の開口部１６１、ネジＢを通す円孔１６２、位置決めピン１１０ｒ，１１０ｒ´を通す円孔１６３、出力ピン１４２，１４２´を移動自在に通す円弧状の長孔１６４等を備えている。そして、口径板１６０は、コイル１２０，１２０´及びヨーク１３０，１３０´並びにロータ１４０，１４０´が組み付けられて相互に連結されたコイル枠部材１１０，１１０´に対して、絞り羽根１５０及びシャッタ羽根１５１，１５２が組み付けられた後に、コイル枠部材１１０，１１０´との間に絞り羽根１５０及びシャッタ羽根１５１，１５２を挟み込むようにして、ネジＢを用いてコイル枠部材１１０，１１０´に固定されるようになっている。
【００３１】
上記の装置においては、コイル１２０，１２０´を巻回するコイル枠部材１１０，１１０´に対して、ヨーク１３０，１３０´、ロータ１４０，１４０´、羽根部材としての絞り羽根１５０及びシャッタ羽根１５１，１５２、口径板１６０が組み付けられており、又、絞り羽根１５０はその進退駆動される全範囲においてコイル枠部材１１０，１１０´と常時重なり合う部分を含むと共に、隣接羽根部材としてのシャッタ羽根１５１は絞り羽根１５０と常時部分的に重なり合い、シャッタ羽根１５２は、隣接羽根部材であるシャッタ羽根１５１に常時部分的に重なり合うため、従来のような厚板状の地板及び隔壁板を廃止しても、絞り羽根１５０を円滑に駆動させて絞り動作を行わせることができると共にシャッタ羽根１５１，１５２を円滑に駆動させてシャッタ動作を行わせることができ、又、その骨組み構造がコイル枠部材１１０，１１０´及び口径板１６０により構成されるため、構造の簡素化、部品点数の削減、装置の小型化及び薄型化、低コスト化等を達成することができ、さらに、ロータ１４０，１４０´及び羽根部材（絞り羽根１５０及びシャッタ羽根１５１，１５２）が、コイル枠部材１１０，１１０´を基準にしてそれぞれ作動するように組み付けられているため、より高精度な位置決め及び円滑な駆動が可能になる。
【００３２】
図１３は、本発明に係るカメラ用羽根駆動装置の第４の実施形態を示すものであり、前述の第３の実施形態に比べて、２つのコイル枠部材１１０，１１０´を連結せずに別々に設け（それ故に一部を変更）、かつ、絞り羽根１５０とシャッタ羽根１５１，１５２の間に中間板２００を配置し、中間板２００と口径板１６０´（一部を変更）との間にワッシャＷを挟んで所定隙間の羽根室を形成した以外は、基本的な構造及び作用については前述の実施形態と同様であるため同様の構成について説明を省略する。
この装置においては、中間板２００を設けたことにより、絞り羽根１５０とシャッタ羽根１５１，１５２とを別々の羽根室に配置することができ、それ故に、それぞれの羽根部材をより円滑に駆動させることができる。また、シャッタ羽根１５１，１５２を配置する羽根室を形成するべく、中間板２００と口径板１６０´との間にワッシャＷを挟み込んだことにより、羽根室を形成しつつも、構造の簡素化、を部品点数の削減、装置の小型化及び薄型化、低コスト化等を達成することができる。
尚、ワッシャＷの代わりに、中間板２００又は口径板１６０´に突起又は折曲部を設けて、羽根室を形成してもよい。
【００３３】
以上述べたように、上記構成をなすカメラ用羽根駆動装置によれば、従来のような厚板状の地板、コイル枠部材に隣接する隔壁板等を廃止して、コイル枠部材に基本的な骨格構造を持たせたことにより、構造の簡素化、部品点数の削減、装置の小型化及び薄型化、低コスト化等を達成しつつ、羽根部材を円滑に駆動させて絞り動作又はシャッタ動作を行わせることができる。
【００３４】
上記実施形態においては、羽根部材としてのシャッタ羽根として、１枚のシャッタ羽根５０又は２枚のシャッタ羽根５１，５２、１５１，１５２を示したが、これに限定されるものではなく、それ以上の枚数からなるシャッタ羽根を採用してもよい。
上記実施形態においては、羽根部材としての絞り羽根として、１枚の絞り羽根１５０を示したが、これに限定されるものではなく、ＮＤフィルタ羽根あるいはそれ以上の枚数からなる絞り羽根を採用してもよい。
上記実施形態においては、コイル枠部材として湾曲した形状のコイル枠部材１０，１０´，１１０，１１０´を示したが、これに限定されるものではなく、それ以外の形状をなすコイル枠部材を採用してもよい。
【産業上の利用可能性】
【００３５】
以上述べたように、本発明のカメラ用羽根駆動装置は、構造の簡素化、部品点数の削減、装置の小型化及び薄型化、低コスト化等を達成できるため、小型の携帯型のカメラ、携帯情報端末装置に搭載されるカメラ等に適用できるのは勿論のこと、その他のカメラにおいても有用である。
【符号の説明】
【００３６】
１０，１０´，１１０，１１０´  コイル枠部材
１０ａ，１１０ａ，１１０ａ´  ボビン部
１０ｂ，１１０ｂ，１１０ｂ´  嵌合孔
１０ｃ，１１０ｃ，１１０ｃ´  フック部
１０ｄ，１０ｄ´，１１０ｄ，１１０ｄ´  支軸
１０ｅ，１１０ｅ，１１０ｅ´，１１０ｏ，１１０ｏ´  スラスト受け面
１０ｆ，１１０ｆ，１１０ｆ１´，１１０ｆ２´  支軸
１０ｇ，１０ｈ，１１０ｇ，１１０ｈ，１１０ｇ´，１１０ｈ´  ストッパ
１０ｉ，１１０ｐ，１１０ｐ´  ボス部
１１０ｉ，１１０ｉ´  円孔
１０ｊ，１１０ｋ，１１０ｋ´，１１０ｑ，１１０ｑ´  ネジ穴
１１０ｊ，１１０ｊ´  一端連結部
１１０ｍ，１１０ｍ´  他端連結部
１１０ｎ，１１０ｎ´  長孔
１１０ｒ，１１０ｒ´  位置決めピン
２０，１２０，１２０´  コイル
３０，１３０，１３０´  ヨーク
３１，１３１，１３１´  第１磁極部
３２，１３２，１３２´  第２磁極部
３３，１３３，１３３´  屈曲部
４０，１４０，１４０´  ロータ
４１，１４１，１４１´  円筒部
４１ａ，１４１ａ，１４１ａ´  貫通孔
４２，１４２，１４２´  出力ピン
５０  シャッタ羽根（羽根部材）
５０ａ  円孔
５０ｂ  長孔
５０ｃ  シャッタ羽根５０の一部分
５０ｄ  シャッタ羽根５０の先端部分
１５０  絞り羽根（羽根部材）
１５０ａ  円孔
１５０ｂ  長孔
１５０ｃ  円形開口部
１５０ｄ  絞り羽根１５０の一部分
１５０ｅ  絞り羽根１５０の先端部分
５１，１５１  シャッタ羽根（隣接羽根部材）
５２，１５２  シャッタ羽根
５１ａ，５２ａ，１５０ａ，１５１ａ，１５２ａ  円孔
５１ｂ、５２ｂ，１５０ｂ，１５１ｂ，１５２ｂ  長孔
５１ｃ  シャッタ羽根５１の一部分
５１ｄ  シャッタ羽根５１の先端部分
５２ｃ，５２ｄ  シャッタ羽根５１と重なり合った状態を維持する部分
１５１ｃ，１５１ｄ  絞り羽根１５０と重なり合った状態を維持する部分
１５２ｃ，１５２ｄ  シャッタ羽根１５１と重なり合った状態を維持する部分
６０，６０´，１６０，１６０´  口径板
６１，１６１  光通過用の開口部
６２，６３，６５，６６，１６２，１６３，  円孔
６４，１６４  長孔
２００  中間板
Ｂ  ネジ
Ｗ  ワッシャ
【図１】
2014071176.tif 000003
【図２】
2014071176.tif 000004
【図３】
2014071176.tif 000005
【図４】
2014071176.tif 000006
【図５】
2014071176.tif 000007
【図６】
2014071176.tif 000008
【図７】
2014071176.tif 000009
【図８】
2014071176.tif 000010
【図９】
2014071176.tif 000011
【図１０】
2014071176.tif 000012
【図１１】
2014071176.tif 000013
【図１２】
2014071176.tif 000014
【図１３】
2014071176.tif 000015